(57)【要約】【課題】この矯正力調整システムは、三次元方向に矯正力を与えることを可能とし、歯列矯正装置の貼り換えを行わず、治療時間を短縮し、治療の状況や歯の位置に合わせて、随時矯正力を変更できる。【解決手段】矯正力調整システムは、歯列矯正装置１と、ワイヤ４と、緊締具５を備え、歯列矯正装置１は、ブラケット２と、インナーパーツ３を有し、ブラケット２は、内部にスロット２０を有し、歯の表面に設置されるものであり、インナーパーツ３は、ワイヤ固定溝３０を有し、歯の表面に沿ってスロット２０に挿入されるものであり、ワイヤ４は、ワイヤ固定溝３０で角度付けされ、緊締具５で固定されるものであり、角度付けは、ローテーション、アンギュレーション、トルクの少なくとも一つ以上に対応する矯正力をワイヤ４に生じさせるものであり、矯正力は、インナーパーツ３を入れ直すことにより、ワイヤ固定溝３０の角度付け態様を変更し、調整される。【選択図】図１
2014027992.tif 000002
【特許請求の範囲】
【請求項１】
歯に矯正力を与える歯列矯正装置（１）の矯正力調整システムであって、
矯正力調整システムは、
歯列矯正装置（１）と、ワイヤ（４）と、緊締具（５）を備え、
歯列矯正装置（１）は、
ブラケット（２）と、インナーパーツ（３）を有し、
ブラケット（２）は、
内部にスロット（２０）を有し、歯の表面に設置されるものであり、
インナーパーツ（３）は、
ワイヤ固定溝（３０）を有し、
歯の表面に沿ってスロット（２０）に挿入されるものであり、
ワイヤ（４）は、
ワイヤ固定溝（３０）で角度付けされ、緊締具（５）で固定されるものであり、
角度付けは、
ローテーション、アンギュレーション、トルクの
少なくとも一つ以上に対応する矯正力をワイヤ（４）に生じさせるものであり、
矯正力は、
インナーパーツ（３）を入れ直すことにより、
ワイヤ固定溝（３０）の角度付け態様を変更し、
調整されること
を特徴とする矯正力調整システム。
【請求項２】
スロット（２０）とインナーパーツ（３）とは、
多角形柱に形成されており、
矯正力を調整する為のインナーパーツ（３）の入れ直しは、
スロット（２０）とインナーパーツ（３）の接触面の変更であること
を特徴とする請求項１記載の矯正力調整システム。
【請求項３】
スロット（２０）とインナーパーツ（３）とは、
円柱に形成され、双方に対応するストッパが形成されていること
を特徴とする請求項２記載の矯正力調整システム。
【請求項４】
反対方向の矯正力を生じさせる為にインナーパーツ（３）の上下を反転させた挿入を行うこと
を特徴とする請求項１乃至３のいずれかに記載の矯正力調整システム。
【請求項５】
インナーパーツ（３）は、突起部（３１）を有すること
を特徴とする請求項１乃至４のいずれかに記載の矯正力調整システム。
【発明の詳細な説明】
【技術分野】
【０００１】
本発明は、歯に対してローテーション、アンギュレーション、トルク等、３次元方向に矯正力を与える歯列矯正装置の矯正力調整システムに関する。
【背景技術】
【０００２】
歯の審美性を向上させるために、不揃いな歯を矯正させる治療が従来から行われている。
〔特許文献１に記載の技術〕
従来の歯列矯正装置として、ワイヤを挿入するための横溝を有するブラケットの前方に縦溝を形成し、縦溝に薄板状のスライド部材を挿入したものが存在する。スライド部材は縦溝に沿って上下方向に移動可能であり、スライド部材を下方に移動すると横溝が閉じられてワイヤが保持される。しかし、スライド部材が薄板状であるから強度が乏しいと共に、スライド部材の正面側の殆どの部分が正面方向に露出しているため外力を受け易く、外力を受けた時に破損する恐れがある。
【０００３】
〔特許文献２に記載の技術〕
特許文献１に記載の技術の課題を解決したものとして、上下のアーム部間に形成されたスロットの開口を、連結部が左右に移動するための空間とすることで、インナーパーツを左右方向に移動させてスロットに挿入できるとともに、アーム部に形成された縦スリットを、前記連結部が上下に移動するための空間とすることで、インナーパーツを回動させて、スロットの開口がインナーパーツのソケットを除いた他の部分に塞がれた状態にできる歯列矯正装置を例示することができる。
しかしながら、特許文献２に記載の技術は、角ワイヤを用いてトルクをかけようとする時に困難が伴うものであった。
【０００４】
〔その他の従来技術〕
また、特許文献２以外の歯科矯正ブラケットを装着した場合であっても、角度の変更や治療段階ごとのワイヤ角度微調整には、歯列矯正装置を交換して歯面に貼りなおす必要があった。
【先行技術文献】
【特許文献】
【０００５】
【特許文献１】特許第３５１２４６６号公報
【０００６】
【特許文献２】特許第４５０５８１５号広報
【発明の概要】
【発明が解決しようとする課題】
【０００７】
そこで、この発明は、ローテーション、アンギュレーション、トルクといった三次元方向に矯正力を与えることを可能とし、歯列矯正装置の貼り換えを行わず、治療時間を短縮し、治療の状況や歯の位置に合わせて、随時矯正力を変更できる矯正力調整システムを提供することを目的とする。
【課題を解決するための手段】
【０００８】
上記目的を達成するために本件発明は以下の手段を用いた。
（請求項１記載の発明）
請求項１記載の発明は、歯に矯正力を与える歯列矯正装置の矯正力調整システムであって、矯正力調整システムは、歯列矯正装置と、ワイヤと、緊締具を備え、歯列矯正装置は、ブラケットと、インナーパーツを有し、ブラケットは、内部にスロットを有し、歯の表面に設置されるものであり、インナーパーツは、ワイヤ固定溝を有し、歯の表面に沿ってスロットに挿入されるものであり、ワイヤは、ワイヤ固定溝で角度付けされ、緊締具で固定されるものであり、角度付けは、ローテーション、アンギュレーション、トルクの少なくとも一つ以上に対応する矯正力をワイヤに生じさせるものであり、矯正力は、インナーパーツを入れ直すことにより、ワイヤ固定溝の角度付け態様を変更し、調整されることを特徴とする。
（請求項２記載の発明）
請求項２記載の発明は、請求項１記載の矯正力調整システムであって、スロットとインナーパーツとは、多角形柱に形成されており、矯正力を調整する為のインナーパーツの入れ直しは、スロットとインナーパーツの接触面の変更であることを特徴とする。
【０００９】
（請求項３記載の発明）
請求項３記載の発明は、請求項２記載の矯正力調整システムであって、スロットとインナーパーツとは、円柱に形成され、双方に対応するストッパが形成されていることを特徴とする。
（請求項４記載の発明）
請求項４記載の発明は、請求項１乃至３のいずれかに記載の矯正力調整システムであって、反対方向の矯正力を生じさせる為にインナーパーツ（３）の上下を反転させた挿入を行うことを特徴とする
（請求項５記載の発明）
請求項５記載の発明は、請求項１乃至４のいずれかに記載の矯正力調整システムであって、インナーパーツは、突起部を有することを特徴とする。
【発明の効果】
【００１０】
（請求項１記載の発明の効果）
請求項１記載の発明であると、矯正治療対象の歯に対し、治療期間中のそれぞれ異なるローテーション、アンギュレーション、トルクといった三次元方向の角度付け要求に応じ、複数個のインナーパーツからそれぞれの歯に合わせて最適なものを選出しそれぞれの歯一本ずつに最適な矯正力を与えることができる。これによって歯列矯正装置の貼り換えを行わず、治療時間を短縮し、治療の状況や歯の角度や位置に合わせて、随時矯正力を変更できる矯正力調整システムを提供することができる。
（請求項２記載の発明の効果）
請求項２記載の発明であると、別のインナーパーツを用いなくても、多角形の角度を利用して、角度付けを変更し、矯正力調整を行なうことができる。多角形柱の角数は多くすれば多くするほど正確な治療が可能になる。
【００１１】
（請求項３記載の発明の効果）
多角柱の角は多いほど（極端な場合は円に近いほど）耐久性が増加し、上記請求項の効果上も好ましい。しかし、角数が大きくなればなるほど、インナーパーツは、製品製造上の公差（誤差）などにより回転方向の力に抵抗できないものとなり、滑りを起こして所定の角度が保てない恐れが生じる。この場合でも、インナーパーツのストッパがブラケットのスロットのストッパに当たることによって滑り回転を阻止することで、所定の角度が保持され、本来の目的を果たすことが可能となる。
（請求項４記載の発明の効果）
上述の発明において、インナーパーツを上下逆方向に挿入して、角度調整を行なうこともできる。上下逆方向に挿入すると、矯正対象の歯に対する応力は、両隣の歯には反対向きの応力として作用する。この応力を利用できるようにインナーパーツを上下逆方向でスロットに挿入して、両隣の歯それぞれの回転を抑えることもできる。
（請求項５記載の発明の効果）
インナーパーツが突起部（操作ハンドル）を有すると、スロットへの挿入およびスロットからの取り外しを、突起部をつまむことによって可能となるため、利便性が向上する。
【図面の簡単な説明】
【００１２】
【図１】図１は歯列矯正装置の取付後の全体斜視図である。
【図２】図２は歯列矯正装置の取付中の全体斜視図である。
【図３】図３はインナーパーツの全体斜視図である。
【図４】図４はトルク矯正力を与えるインナーパーツの図である。
【図５】図５はトルク矯正力を与える歯列矯正装置の正面図である。
【図６】図６はトルク矯正力を与える歯列矯正装置の側面図である。
【図７】図７はアンギュレーション矯正力を与えるインナーパーツの図である。
【図８】図８はアンギュレーション矯正力を与える歯列矯正装置の正面図である。
【図９】図９はアンギュレーション矯正力を与える歯列矯正装置の側面図である。
【図１０】図１０はローテーション矯正力を与えるインナーパーツの図である。
【図１１】図１１はローテーション矯正力を与える歯列矯正装置の正面図である。
【図１２】図１２はローテーション矯正力を与える歯列矯正装置の側面図である。
【図１３】図１３は矯正力変更における歯列矯正装置の全体斜視図である。
【図１４】図１４は矯正力変更における歯列矯正装置の側面図である。
【発明を実施するための形態】
【００１３】
以下にこの発明の矯正力調整システムを実施例として示す各図と共に説明する。
【実施例１】
【００１４】
〔１．矯正力調整システムの全体的な構成について〕
図１は歯列矯正装置の取付後の全体斜視図であり、図２は歯列矯正装置の取付中の全体斜視図であり、図３はインナーパーツの全体斜視図である。
実施例１に記載の矯正力調整システムは、図１に示す歯列矯正装置１の接着部１１を歯の表面に取り付け、歯に矯正力を与えるものであり、歯列矯正装置１と、ワイヤ４と、緊締具５を備えている。
歯列矯正装置１は、ブラケット２と、インナーパーツ３と、フック１０を有している。
ブラッケト２は、歯の表面に設置されるものであり、図１〜２に示すようにスロット２０を有しており、インナーパーツ３をスロット２０にスライド挿入するものである。
【００１５】
インナーパーツ３は、図３に示すように、ワイヤ固定溝３０を有している。
歯に与える矯正力は、ワイヤ４によって生じるものであり、図２に示す態様でワイヤ４をスロット２０に挿入されたインナーパーツ３のワイヤ固定溝３０に入れ込み、フック１０に緊締具５を引っ掛けて、図１に示す態様でワイヤ４を固定する。
緊締具５には、メタル結紮線、結紮糸、エラスティックなどを用いることができる。
【００１６】
〔２．ブラケット２とインナーパーツ３について〕
ブラケット２とインナーパーツ３とは、図１および図２に示すように組み合わせて用いるものである。歯科矯正の施術は、ブラケット２を歯の内側表面または外側表面に取り付け、ブラケット２のスロット２０に、インナーパーツ３を挿入するものである。この挿入を、固定する為に、インナーパーツ３は突起部３１を有するものとし、ブラケット２は凹部２１を有するものとし、突起部３１と凹部２１とが嵌り合う態様とし、インナーパーツ３とブラケット２の双方に対応するストッパとすることができる。
また、上下の凹部２１に対応する２つの突起部３１を有するインナーパーツ３とすることもできる。このようにすると、スロット２０の内壁面とインナーパーツ３の外壁面とを円筒形状にすることができると共に、円筒形状となったインナーパーツ３の回転を防止することができる。
【００１７】
突起部３１を、スロット２０挿入時に、ブラケット２から少なくとも突出する態様とすると、突起部３１をハンドルとすることができる。突起部３１をハンドルとすると、インナーパーツ３の挿入および取り外しが簡単なものとなり、好ましい。
この発明は、ワイヤ固定溝３０の形状が異なるインナーパーツ３を複数種類準備し、必要な矯正力にあわせてインナーパーツ３を選出し、スロット２０に挿入する矯正力調整システムであるから、交換作業を容易なものとするのである。
各矯正力について説明を簡潔なものとするため、トルク矯正力用、アンギュレーション矯正力用、ローテーション矯正力用、といった単一の矯正力それぞれに対応したインナーパーツ３について説明する。
【００１８】
〔３．トルク矯正力用インナーパーツ３について〕
図４はトルク矯正力を与えるインナーパーツ図であり、図５はトルク矯正力を与える歯列矯正装置の正面図であり、図６はトルク矯正力を与える歯列矯正装置の側面図である。
歯並びの円弧軸（Ｘ軸）に対して歯が回転してしまった症状において、歯を元の位置に戻すには、歯が回転してしまった方向と逆向きに矯正力を加える必要がある。このような場合、ワイヤ４を角型のものとし、ワイヤ４に対応してワイヤ固定溝３０を上面、下面、底面（底面は歯表面側の側面）を形成し、図４〜図６に示すように、ワイヤ固定溝３０が角型のワイヤ４を挟んで捻るように、ワイヤ固定溝３０に角度変化を設けるのである。
【００１９】
そして、トルク矯正力の大きさは、ワイヤ固定溝３０の角度付けの大きさに依存するものである。図４〜図６に示すワイヤ固定溝３０の場合、水平に近づくほど（ワイヤ固定溝３０の開口が横向きになるほど）トルク矯正力は小さくなり、垂直に近づくほど（ワイヤ固定溝３０の開口が上または下向きになるほど）トルク矯正力は大きくなる。
【００２０】
したがって、トルク矯正力の大きさの調整は、ワイヤ固定溝３０の角度付けが異なる複数種類のインナーパーツ３を準備し、必要なトルク矯正力に応じて選出する。
例えば、ワイヤ固定溝３０を水平面に対し±４５°の角度付けするのであれば、５°刻みに−４５°〜−５°、＋５°〜４５°の１８種類のインナーパーツ３を準備し、必要なトルク矯正力に応じてインナーパーツ３を選び、スロット２０に挿入するのである。そして、長期間の歯科矯正治療中に、歯の位置が正常な位置にＸ軸回転してきた場合は、再度トルク矯正力を調整する為に、インナーパーツ３を交換することもできる。この時、ブラケット２を歯面から取外す必要がなく、患者の費用負担を軽減することができる。
【００２１】
〔４．アンギュレーション矯正力用インナーパーツ３について〕
図７はアンギュレーション矯正力を与えるインナーパーツの図であり、図８はアンギュレーション矯正力を与える歯列矯正装置の正面図であり、図９はアンギュレーション矯正力を与える歯列矯正装置の側面図である。
頭部の中心から水平に外方向に延びる軸（Ｚ軸）に対して歯が回転してしまった症状において、歯を元の位置に戻すには、歯が回転してしまった方向と逆向きに矯正力を加える必要がある。このような場合、ワイヤ４は角型でも丸型でもよく、図７〜図９に示すように、ワイヤ４を上下に傾斜させるように、ワイヤ固定溝３０を設けるのである。
【００２２】
そして、アンギュレーション矯正力の大きさは、ワイヤ固定溝３０の傾斜の大きさに依存するものである。図７〜図９に示すワイヤ固定溝３０の場合、水平に近づくほど（ワイヤ固定溝３０が水平になるほど）アンギュレーション矯正力は小さくなり、垂直に近づくほど（ワイヤ固定溝３０の一端が上に移動し、他端が下に移動するほど）アンギュレーション矯正力は大きくなる。
【００２３】
したがって、アンギュレーション矯正力の大きさの調整は、ワイヤ固定溝３０の傾斜が異なる複数種類のインナーパーツ３を準備し、必要なアンギュレーション矯正力に応じて選出する。
例えば、ワイヤ固定溝３０を水平面に対し±１５°の角度付けするのであれば、３°刻みに−１５°〜３°、＋３〜１５°の１０種類のインナーパーツ３を準備し、必要なアンギュレーション矯正力に応じてインナーパーツ３を選び、スロット２０に挿入するのである。そして、長期間の歯科矯正治療中に、歯の位置が正常な位置にＺ軸回転してきた場合は、再度アンギュレーション矯正力を調整する為に、インナーパーツ３を交換することもできる。この時、ブラケット２を歯面から取外す必要がなく、患者の費用負担を軽減することができる。
【００２４】
〔５．ローテーション矯正力用インナーパーツ３について〕
図１０はローテーション矯正力を与えるインナーパーツの図であり、図１１はローテーション矯正力を与える歯列矯正装置の正面図であり、図１２はローテーション矯正力を与える歯列矯正装置の側面図である。
歯の抜け方向の軸（Ｙ軸）に対して歯が回転してしまった症状において、歯を元の位置に戻すには、歯が回転してしまった方向と逆向きに矯正力を加える必要がある。このような場合、ワイヤ４は角型でも丸型でもよく、図１０〜図１２に示すように、ワイヤ４の両端を歯面に対して遠近させるように、ワイヤ固定溝３０を設けるのである。
【００２５】
そして、ローテーション矯正力の大きさは、ワイヤ固定溝３０溝底面の歯面への遠近に依存するものである。図１０〜図１２に示すワイヤ固定溝３０の場合、ワイヤ固定溝３０溝底が歯面と沿うほど（ワイヤ固定溝３０と歯面が平行なほど）ローテーション矯正力は小さくなり、ワイヤ固定溝３０溝底の遠近が大きくなるほど（ワイヤ固定溝３０の一端が歯面に近づき、他端が歯面から離れるほど）ローテーション矯正力は大きくなる。
【００２６】
したがって、ローテーション矯正力の大きさの調整は、ワイヤ固定溝３０溝底の遠近が異なる複数種類のインナーパーツ３を準備し、必要なローテーション矯正力に応じて選出する。
例えば、ワイヤ固定溝３０を歯表面に対し±５°の角度付けするのであれば、１°刻みに−５°〜１°、＋１〜５°の１０種類のインナーパーツ３を準備し、必要なローテーション矯正力に応じてインナーパーツ３を選び、スロット２０に挿入するのである。そして、長期間の歯科矯正治療中に、歯の位置が正常な位置にＹ軸（歯の抜け方向軸）回転してきた場合は、再度ローテーション矯正力を調整する為に、インナーパーツ３を交換することもできる。この時、ブラケット２を歯面から取外す必要がなく、患者の費用負担を軽減することができる。
【００２７】
〔６．複合的な矯正力について〕
上述の通り、トルク矯正力はワイヤ４を捻るワイヤ固定溝３０の「角度変化」によって調整され、アンギュレーション矯正力はワイヤ４を略水平に対して傾けるワイヤ固定溝３０の「傾斜」によって調整され、ローテーション矯正力はワイヤ４を歯面に対して非平行とするワイヤ固定溝３０「底面の歯面への遠近」という三種類の「角度付け」によって調整される。
複合的な矯正力な矯正力を必要とする場合、インナーパーツ３のワイヤ固定溝３０に、「角度変化」「傾斜」「底面の歯面への遠近」から少なくとも２つ以上の角度付け態様を有するものとすることができる。この場合も複数種類のインナーパーツ３を準備し、必要な複合的矯正力に応じて選出することができる。
【００２８】
〔７．矯正力の調整について〕
図１３は矯正力変更における歯列矯正装置の全体斜視図であり、図１４は矯正力変更における歯列矯正装置の側面図である。
矯正力の調整は、前述のインナーパーツ３の交換以外にも、次のような変更方法を例示することができる。図２、図６記載のトルク矯正力用インナーパーツ３を引き抜き、上下逆さにしてスロット２０に挿入した態様が、図１３、図１４に示された矯正力の変更である。
このように、上下逆転して挿入可能なものとすると、前述のトルク矯正力調整であると、「±５°〜４５°」とすることができ、交換用インナーパーツ３を準備する個数を半減させることができる。ローテーション矯正力の調整においても同様にインナーパーツ３の準備する個数を半減させることができる。
【００２９】
また、スロット２０の内壁面とインナーパーツ３の外壁面とを、多角柱形状としトルク矯正力を調整することができる。例えば、図３及び図６に記載の正八角柱である場合、多角形の角度を利用して、スロット２０とインナーパーツ３それぞれの接触面を変更することにより、角度付けを変更し、矯正力調整を行なうことができる。±５°に対して、正八角柱のスロット２０の内壁面とインナーパーツ３の外壁面とを一つ進角させると、±５０°とすることができる。多角性柱の角数が多いほど、調整できる角度（トルク矯正力）が増加する。正十六角柱であると２２．５°刻みで調整することが可能である。
【００３０】
そして、多角形の角を増やし続けると、結果的に円柱となってしまう。円柱となってしまうと、回転してしまいトルク矯正力を維持することが不可能となる。この回転を止めるためのストッパを設けても良い。つまり、図１〜図１４に記載された凹部２１と突起部３１とは、挿入スライドのストッパとして作用しているが、さらに円柱回転ストッパとして凹部２１と突起部３１をスロット２０とインナーパーツ３とに設けることができる。また円柱回転ストッパを、角度調整可能な態様とすることもできる。
【産業上の利用可能性】
【００３１】
この発明は、図１に示す、緊締具５（メタル結紮線、結紮糸、エラスティックなど）を用いてワイヤ４を固定する歯科矯正治療において、様々な態様で応用することができるものである。
【符号の説明】
【００３２】
１    歯列矯正装置
１０  フック
１１  接着部
２    ブラケット
２０  スロット
２１  凹部
３    インナーパーツ
３０  ワイヤ固定溝
３１  突起部
４    ワイヤ
５    緊締具
【図１】
2014027992.tif 000003
【図２】
2014027992.tif 000004
【図３】
2014027992.tif 000005
【図４】
2014027992.tif 000006
【図５】
2014027992.tif 000007
【図６】
2014027992.tif 000008
【図７】
2014027992.tif 000009
【図８】
2014027992.tif 000010
【図９】
2014027992.tif 000011
【図１０】
2014027992.tif 000012
【図１１】
2014027992.tif 000013
【図１２】
2014027992.tif 000014
【図１３】
2014027992.tif 000015
【図１４】
2014027992.tif 000016